(57)【要約】【課題】移動端末がハンドオーバする際に生じるパケットロス及び移動端末間で通信する際の通信遅延を抑えるＷｉＭＡＸ通信システムを提供する。【解決手段】ＷｉＭＡＸ通信システム１０は、移動端末１２ａと、移動端末１２ａが無線接続される基地局１４ａと、移動端末１２ａと基地局１４ａとを配下で管理するＡＳＮＧＷ１６と、ＡＳＮＧＷ１６と基地局１４ａとの間に接続されたｐｒｏｘｙＧＷ２０とを備える。ＷｉＭＡＸ通信システム１０では、基地局１４ａと有線で接続されたｐｒｏｘｙＧＷ２０が、移動端末１２ａの基地局１４ａから基地局１４ｂへのハンドオーバを制御することにより、ハンドオーバの際に発生していた通信不能時間を短縮し、パケットロスの発生を大幅に抑えることができる。【選択図】図１
2009231998.tif 000002
【特許請求の範囲】
【請求項１】
移動端末と、前記移動端末が無線接続される基地局と、前記移動端末と前記基地局とを配下で管理するＡＳＮＧＷと、前記ＡＳＮＧＷと前記基地局との間に接続されたｐｒｏｘｙＧＷとを備え、前記基地局と前記ｐｒｏｘｙＧＷとは有線で接続されているＷｉＭＡＸ通信システムであって、
一の基地局に第１移動端末が無線接続され、
前記ｐｒｏｘｙＧＷは、前記第１移動端末が前記一の基地局から他の基地局へのハンドオーバを制御する
ことを特徴とするＷｉＭＡＸ通信システム。
【請求項２】
請求項１記載のＷｉＭＡＸ通信システムにおいて、
前記ｐｒｏｘｙＧＷは、
前記第１移動端末から送信されたデータパケットの送信先を確認し、
前記データパケットの送信先が前記一の基地局に無線接続された第２移動端末であると確認した場合に、前記第１移動端末から、前記一の基地局、前記ｐｒｏｘｙＧＷ、前記一の基地局、前記第２移動端末に至る通信経路を確立し、
前記確立した通信経路で前記データパケットが送信されるように制御する
ことを特徴とするＷｉＭＡＸ通信システム。
【請求項３】
請求項１又は２記載のＷｉＭＡＸ通信システムにおいて、
前記ｐｒｏｘｙＧＷは、
前記第１移動端末から送信されたデータパケットの送信先を確認し、
前記データパケットの送信先が前記他の基地局に無線接続された第３移動端末であると確認した場合に、前記第１移動端末から、前記一の基地局、前記ｐｒｏｘｙＧＷ、前記他の基地局、前記第３移動端末に至る通信経路を確立し、
前記確立した通信経路で前記データパケットが送信されるように制御する
ことを特徴とするＷｉＭＡＸ通信システム。
【請求項４】
請求項１〜３のいずれか１項に記載のＷｉＭＡＸ通信システムにおいて、
前記ｐｒｏｘｙＧＷは、
前記第１移動端末から送信されたデータパケットの送信先を確認し、
前記データパケットの送信先が前記ｐｒｏｘｙＧＷの配下ではない第４移動端末であると確認した場合に、前記第１移動端末から前記一の基地局、前記ｐｒｏｘｙＧＷ、前記ＡＳＮＧＷを含む通信経路を確立し、
前記確立した通信経路で前記第４移動端末に前記データパケットが送信されるように制御する
ことを特徴とするＷｉＭＡＸ通信システム。
【請求項５】
請求項１〜４のいずれか１項に記載のＷｉＭＡＸ通信システムにおいて、
前記ＡＳＮＧＷと前記ｐｒｏｘｙＧＷとは、広域通信網で接続されている
ことを特徴とするＷｉＭＡＸ通信システム。
【発明の詳細な説明】
【技術分野】
【０００１】
本発明は、移動端末が基地局間でハンドオーバするときの制御、前記移動端末が他の移動端末に対してデータパケットを送信するときの制御をするＷｉＭＡＸ通信システムに関する。
【背景技術】
【０００２】
次世代の高速移動体通信方式としてＷｉＭＡＸ(Worldwide Interoperability for Microwave Access)が国際的に注目を集めている。
【０００３】
図３は、一般的なＷｉＭＡＸの全体のシステムの説明図である。図３に示すＷｉＭＡＸシステム１００は、移動端末（ＭＳ）１２ａ、１２ｂ、１２ｃと、基地局（ＢＳ）１４ａ、１４ｂと、ＡＳＮＧＷ（Access Service Network Gateway）１６とを備え、基地局１４ａ、１４ｂとＡＳＮＧＷ１６とは広域通信網１８で接続されている。
【０００４】
移動端末１２ａ、１２ｂ、１２ｃは、通信機能を有するコンピュータや携帯電話等であり、基地局１４ａ、１４ｂは、移動端末１２ａ、１２ｂと無線通信するための無線装置であり、移動端末１２ａ、１２ｂは基地局１４ａと無線接続され、移動端末１２ｃは基地局１４ｂと無線接続される。ＡＳＮＧＷ１６は、移動端末１２ａ、１２ｂ、１２ｃと、基地局１４ａ、１４ｂとを管理、制御する。広域通信網１８は、インターネットやＷＡＮで構成されている。
【０００５】
ＷｉＭＡＸシステム１００において、移動端末１２ａが移動端末１２ｂに対してデータパケットを送信する場合には、基地局１４ａ、広域通信網１８、ＡＳＮＧＷ１６、広域通信網１８、基地局１４ａ、移動端末１２ａと経由する通信経路を確立して、データパケットが送信される。また、移動端末１２ａから基地局１４ｂに無線接続されている移動端末１２ｃに対してデータパケットを送信する場合には、基地局１４ａ、広域通信網１８、ＡＳＮＧＷ１６、広域通信網１８、基地局１４ｂ、移動端末１２ｃと経由する通信経路を確立して、データパケットが送信される。
【０００６】
また、移動端末１２ａが無線接続する基地局１４ａとの間で無線通信ができなくなる場所に移動した場合に、他の移動端末と通信するためには無線接続先を基地局１４ａから他の基地局、例えば、基地局１４ｂに変更する必要がある。この移動端末１２ａが無線接続されている基地局から、他の基地局に無線接続先を変更することをハンドオーバという（非特許文献１参照）。
【０００７】
図４は、移動端末１２ａが基地局１４ａから基地局１４ｂにハンドオーバする場合の説明図であり、図５は、移動端末１２ａが基地局１４ａから基地局１４ｂにハンドオーバする場合の処理に供されるシーケンスである。
【０００８】
移動端末１２ａは、ハンドオーバする場合にはハンドオーバの可否を確認するためにメッセージ「MOB MSHO REQ」を基地局１４ａに送信する（ステップＳ１）。このメッセージ「MOB MSHO REQ」には、移動端末１２ａが無線接続をすることが可能な基地局のリストが含まれ、基地局１４ｂが接続可能な基地局として含まれているとする。
【０００９】
基地局１４ａは、受信したメッセージ「MOB MSHO REQ」に含まれるリスト中の基地局に当該メッセージを送信するためにメッセージ「HO REQ」をＡＳＮＧＷ１６に送信し（ステップＳ２）、ＡＳＮＧＷ１６は、受信したメッセージ「HO REQ」をリストに含まれる基地局１４ｂに転送する（ステップＳ３）。
【００１０】
基地局１４ｂは、移動端末１２ａのハンドオーバの可否を示すメッセージ「HO RSP」をＡＳＮＧＷ１６に送信する（ステップＳ４）。ハンドオーバの可否は、基地局１４ｂの無線帯域の使用量などを考慮して判断される。ＡＳＮＧＷ１６に対して送信されたメッセージ「HO RSP」では、移動端末１２ａのハンドオーバを許可する旨であるとする。
【００１１】
ＡＳＮＧＷ１６は、受信したメッセージ「HO RSP」を基地局１４ａに転送する（ステップＳ５）。
【００１２】
基地局１４ａは、メッセージ「HO RSP」の代わり、ハンドオーバの可否を示すメッセージ「MOB BSHO RSP」を移動端末１２ａに送信するとともに（ステップＳ６）、メッセージ「HO RSP」を受信した確認としてメッセージ「HO ACK」をＡＳＮＧＷ１６に送信する（ステップＳ７）。ＡＳＮＧＷ１６は、受信したメッセージ「HO ACK」を基地局１４ｂに転送する（ステップＳ８）。
【００１３】
移動端末１２ａは、基地局１４ｂに対してハンドオーバの実行を予告するために、メッセージ「MOB MSHO IND」を基地局１４ａに送信し（ステップＳ９）、基地局１４ａはメッセージ「MOB MSHO IND」の代わりにメッセージ「HO CONF」をＡＳＮＧＷ１６に送信し（ステップＳ１０）、ＡＳＮＧＷ１６は受信したメッセージ「HO CONF」を基地局１４ｂに転送する（ステップＳ１１）。
【００１４】
基地局１４ｂは、メッセージ「HO CONF」を受信した確認としてメッセージ「HO ACK」をＡＳＮＧＷ１６に送信し（ステップＳ１２）、ＡＳＮＧＷ１６は受信したメッセージ「HO ACK」を基地局１４ａに転送する（ステップＳ１３）。
【００１５】
移動端末１２ａは、メッセージ「RNG REQ」を基地局１４ｂに送信して無線接続を試み（ステップＳ１４）、基地局１４ｂがメッセージ「RNG RSP」を移動端末１２ａに返信することにより、移動端末１２ａと基地局１４ｂとの間で無線接続が確立する（ステップＳ１５）。
【００１６】
基地局１４ｂは、移動端末１２ａ宛に送信されるデータパケットを基地局１４ａの代わりに基地局１４ｂに送信する指示としてＡＳＮＧＷ１６にメッセージ「Path Reg Req」を送信し（ステップＳ１６）、ＡＳＮＧＷ１６はこの指示内容に従って処理する旨を伝えるためにメッセージ「Path Reg Rsp」を基地局１４ｂに送信する（ステップＳ１７）。基地局１４ｂは、メッセージ「Path Reg Rsp」を受信した確認としてメッセージ「Path Reg Ack」をＡＳＮＧＷ１６に送信する（ステップＳ１８）。
【００１７】
基地局１４ｂは、移動端末１２ａのハンドオーバが完了した旨としてメッセージ「HO Complete」をＡＳＮＧＷ１６に送信し（ステップＳ１９）、ＡＳＮＧＷ１６は、基地局１４ａに受信したメッセージ「HO Complete」を基地局１４ａに転送する（ステップＳ２０）。
【００１８】
ＡＳＮＧＷ１６は、基地局１４ａに登録されている移動端末１２ａの登録情報の削除をするために基地局１４ａにメッセージ「Path Dereg Req」を送信し（ステップＳ２１）、基地局１４ａは、移動端末１２ａの登録情報の削除完了後にメッセージ「Path Dereg Rsp」をＡＳＮＧＷ１６に返信する（ステップＳ２２）。
【００１９】
移動端末１２ａは上記の処理をし、ハンドオーバが終了すると基地局１４ｂを介したデータパケットの送受信が可能となる。
【００２０】
【非特許文献１】WiMAX FORUM 「WiMAX Forum Network Architecture」 ２００７年３月２８日  p.151-223
【発明の開示】
【発明が解決しようとする課題】
【００２１】
しかしながら、移動端末１２ａが移動端末１２ｂ若しくは移動端末１２ｃに対してデータパケットを送信するとき又は移動端末１２ａがハンドオーバするときには、必ずＡＳＮＧＷ１６との間で通信を行わなければならない。ＡＳＮＧＷ１６との通信では、基地局１４ａ又は基地局１４ｂとＡＳＮＧＷ１６との間は広域通信網１８で接続されている。ＷｉＭＡＸシステム１００が大規模なシステムである場合には、基地局１４ａ又は基地局１４ｂとＡＳＮＧＷ１６との接続距離は数十キロメートルに及び、多くのルータを経由して接続されるために通信遅延が生じる。また、移動端末１２ａがハンドオーバするときには、ステップＳ１０〜Ｓ１８の間での処理では、移動端末１２ａはデータ不通期間であり、このデータ不通期間での処理は、基地局１４ａ又は基地局１４ｂとＡＳＮＧＷ１６との間の通信であり、上記の理由による通信遅延によって処理が滞ることにより、多くのパケットロスが生じ得る。ビデオ・オン・デマンド(VOD：Video On Demand)による動画データの配信や、ＩＰ電話に代表されるVoIP（Voice over Internet Protocol）における音声データの送受信においては、僅かなパケットロスにより使い勝手が低下するために、パケットロスの少ないハンドオーバが望まれている。
【００２２】
本発明は、上記の課題を考慮してなされたものであって、移動端末がハンドオーバするときに生じるパケットロス及び移動端末間で通信する際の通信遅延を最小限に抑えることが可能なＷｉＭＡＸ通信システムを提供することを目的とする。
【課題を解決するための手段】
【００２３】
本発明に係るＷｉＭＡＸ通信システムは、移動端末と、前記移動端末が無線接続される基地局と、前記移動端末と前記基地局とを配下で管理するＡＳＮＧＷと、前記ＡＳＮＧＷと前記基地局との間に階層的に接続されたｐｒｏｘｙＧＷとを備え、前記基地局と前記ｐｒｏｘｙＧＷとは有線で接続されているＷｉＭＡＸ通信システムであって、一の基地局に第１移動端末が無線接続され、前記ｐｒｏｘｙＧＷは、前記第１移動端末が前記一の基地局から他の基地局へのハンドオーバを制御することを特徴とする。これにより、ハンドオーバの際に発生していた通信不能時間を短縮し、パケットロスの発生を大幅に抑えることができる。
【００２４】
また、前記ｐｒｏｘｙＧＷは、前記第１移動端末から送信されたデータパケットの送信先を確認し、前記データパケットの送信先が前記一の基地局に無線接続された第２移動端末であると確認した場合に、前記第１移動端末から、前記一の基地局、前記ｐｒｏｘｙＧＷ、前記一の基地局、前記第２移動端末に至る通信経路を確立し、又は、前記データパケットの送信先が前記他の基地局に無線接続された第３移動端末であると確認した場合に、前記第１移動端末から、前記一の基地局、前記ｐｒｏｘｙＧＷ、前記他の基地局、前記第３移動端末に至る通信経路を確立し、前記確立した通信経路で前記データパケットが送信されるように制御することによりデータパケット通信におけるジッタ及び通信遅延を抑えることができる。
【００２５】
さらに、前記ｐｒｏｘｙＧＷは、前記第１移動端末から送信されたデータパケットの送信先を確認し、前記データパケットの送信先が前記ｐｒｏｘｙＧＷの配下ではない第４移動端末であると確認した場合に、前記第１移動端末から前記一の基地局、前記ｐｒｏｘｙＧＷ、前記ＡＳＮＧＷを含む通信経路を確立し、前記確立した通信経路で前記第４移動端末に前記データパケットが送信されるように制御する。
【００２６】
さらにまた、前記ＡＳＮＧＷと前記ｐｒｏｘｙＧＷとは、広域通信網で接続されている。
【発明の効果】
【００２７】
本発明によれば、基地局と有線で接続されたｐｒｏｘｙＧＷが、移動端末のハンドオーバを制御することにより、ハンドオーバの際に発生していた通信不能時間を短縮し、パケットロスの発生を大幅に抑えることができる。また、ｐｒｏｘｙＧＷの配下の移動端末間でのデータパケット通信におけるジッタ及び通信遅延を抑えることができる。
【発明を実施するための最良の形態】
【００２８】
以下、本発明の実施形態について図面を参照して説明する。図１は、本発明の実施形態に係るＷｉＭＡＸ通信システム１０の説明図であり、図２は、移動端末のハンドオーバについての説明図である。なお、図３に示したＷｉＭＡＸシステム１００と同一の構成要素には同一の符号を付し、その詳細な説明を省略する。
【００２９】
図１に示すＷｉＭＡＸ通信システム１０は、移動端末１２ａ（第１移動端末）、１２ｂ（第２移動端末）が無線接続される基地局１４ａ（一の基地局）と移動端末１２ｃ（第３移動端末）が無線接続される基地局１４ｂ（他の基地局）とを配下に有するｐｒｏｘｙＧＷ２０と、移動端末１２ｄ（第４移動端末）が無線接続される基地局１４ｃと、ＡＳＮＧＷ１６とを備える。ＡＳＮＧＷ１６は、移動端末１２ａ〜１２ｄ、基地局１４ａ、１４ｂ、１４ｃ、ｐｒｏｘｙＧＷ２０を管理、制御し、ｐｒｏｘｙＧＷ２０は、配下の移動端末１２ａ、１２ｂ、１２ｃ、基地局１４ａ、１４ｂを管理、制御する。基地局１４ａ、１４ｂとｐｒｏｘｙＧＷ２０とは有線で接続され、ＡＳＮＧＷ１６と基地局１４ｃ、ｐｒｏｘｙＧＷ２０とは広域通信網１８で接続されている。
【００３０】
ｐｒｏｘｙＧＷ２０は、配下で管理している基地局１４ａ、１４ｂ並びに基地局１４ａに無線接続されている移動端末１２ａ、１２ｂ及び基地局１４ｂに無線接続されている移動端末１２ｃに関する情報をｐｒｏｘｙＧＷ登録情報として記録し、管理する。ｐｒｏｘｙＧＷ登録情報の情報としては、移動端末１２ａ、１２ｂ、１２ｃの各ＩＤ（例えば、ＩＰアドレス、ＭＡＣアドレス）、移動端末１２ａ、１２ｂの無線接続先、すなわち無線接続先が基地局１４ａであること、基地局１４ａのＩＤ、移動端末１２ｃの無線接続先が基地局１４ｂであること、基地局１４ｂのＩＤ、サービスフロー情報等が記録されている。
【００３１】
ＡＳＮＧＷ１６は、ｐｒｏｘｙＧＷ２０が有する登録情報の他に、ｐｒｏｘｙＧＷ２０の情報、移動端末１２ｄ、基地局１４ｃの情報をＡＳＮＧＷ登録情報として記録し、管理する。
【００３２】
移動端末１２ａが移動端末１２ｂ、１２ｃ、１２ｄと通信する場合について説明する。
【００３３】
移動端末１２ａは、データパケットを基地局１４ａに送信し、基地局１４ａは受信したデータパケットをｐｒｏｘｙＧＷ２０に転送する。ｐｒｏｘｙＧＷ２０は、受信したデータパケットから送信先を確認する。ｐｒｏｘｙＧＷ２０は、ｐｒｏｘｙＧＷ登録情報と受信したデータパケットとを照合することにより送信先が自己の管理下の移動端末１２ｂであることを確認する。
【００３４】
ｐｒｏｘｙＧＷ２０は、データパケットの送信先を確認した後に、移動端末１２ａ、基地局１４ａ、ｐｒｏｘｙＧＷ２０、基地局１４ａ、移動端末１２ｂと経由する通信経路を確立する。通信経路の確立後、移動端末１２ａと移動端末１２ｂとの通信が可能となる。
【００３５】
また、ｐｒｏｘｙＧＷ２０が、受信したデータパケットの送信先とｐｒｏｘｙＧＷ登録情報とを照合し、送信先が基地局１４ｂに無線接続される移動端末１２ｃであると確認した場合には、移動端末１２ａ、基地局１４ａ、ｐｒｏｘｙＧＷ２０、基地局１４ｂ、移動端末１２ｃと経由する通信経路を確立する。通信経路の確立後、移動端末１２ａと移動端末１２ｃとの通信が可能となる。
【００３６】
一方、ｐｒｏｘｙＧＷ２０が、受信したデータパケットの送信先とｐｒｏｘｙＧＷ登録情報とを照合した結果、送信先がｐｒｏｘｙＧＷ登録情報に記録されていない移動端末である場合には、データパケットをＡＳＮＧＷ１６に転送する。ＡＳＮＧＷ１６は、受信したデータパケットの送信先とＡＳＮＧＷ登録情報とを照合し、送信先が基地局１４ｂに無線接続される移動端末１２ｄであると確認した場合には、移動端末１２ａ、基地局１４ａ、ｐｒｏｘｙＧＷ２０、広域通信網１８、ＡＳＮＧＷ１６、広域通信網１８、基地局１４ｃ、移動端末１２ｄと経由する通信経路を確立する。通信経路の確立後、移動端末１２ａと移動端末１２ｄとの通信が可能となる。
【００３７】
次に、図２に示すように移動端末１２ａが基地局１４ａから基地局１４ｂにハンドオーバする場合について説明する。
【００３８】
ＡＳＮＧＷ１６と、移動端末１２ａ、基地局１４ａ、１４ｂとの間の処理は、ｐｒｏｘｙＧＷ２０がハンドオーバの処理を行う場合と基本的には同じであり、ＡＳＮＧＷ１６は図５に示すｐｒｏｘｙＧＷ２０と同様の処理を行う。
【００３９】
移動端末１２ａは、ハンドオーバの可否を確認するためにメッセージ「MOB MSHO REQ」を基地局１４ａに送信する（ステップＳ１）。基地局１４ａは、受信したメッセージ「MOB MSHO REQ」に含まれるリスト中の基地局に当該メッセージを送信するためにメッセージ「HO REQ」をｐｒｏｘｙＧＷ２０に送信する（ステップＳ２’）。
【００４０】
ｐｒｏｘｙＧＷ２０は、受信したメッセージ「HO REQ」をリストに含まれる基地局とｐｒｏｘｙＧＷ登録情報に含まれる基地局と照合し、移動端末１２ａのハンドオーバ先を基地局１４ｂと確認した場合には、メッセージ「HO RSP」を基地局１４ｂに送信する（ステップＳ３’）。以後、ステップＳ４〜Ｓ２２において、ｐｒｏｘｙＧＷ２０がＡＳＮＧＷ１６の処理を代行し、移動端末１２ａ、基地局１４ａ、１４ｂ、ｐｒｏｘｙＧＷ２０との間で行われ、移動端末１２ａの基地局１４ａから基地局１４ｂへのハンドオーバが完了する。
【００４１】
一方、ステップＳ２’の後に、ｐｒｏｘｙＧＷ２０が受信したメッセージ「HO REQ」をリストに含まる基地局とｐｒｏｘｙＧＷ登録情報に含まれる基地局と照合した結果、移動端末１２ａのハンドオーバ先がｐｒｏｘｙＧＷ登録情報に記録されていない基地局１４ｃであると確認した場合には、メッセージ「HO RSP」をＡＳＮＧＷ１６に送信する（ステップＳ３’）。以後の処理においては、ｐｒｏｘｙＧＷ２０は、基地局１４ａ、１４ｃとＡＳＮＧＷ１６との通信の際において実質的に何ら処理をせずに、データパケットを転送することとなる。従って、ステップＳ５〜Ｓ２２の処理が、実質的に移動端末１２ａ、基地局１４ａ、１４ｃ、ＡＳＮＧＷ１６との間で行われ、移動端末１２ａの基地局１４ａから基地局１４ｃへのハンドオーバが完了する。
【００４２】
以上説明したように、ＷｉＭＡＸ通信システム１０は、移動端末１２ａと、移動端末１２ａが無線接続される基地局１４ａと、移動端末１２ａと基地局１４ａとを配下で管理するＡＳＮＧＷ１６と、ＡＳＮＧＷ１６と基地局１４ａとの間に階層的に接続されたｐｒｏｘｙＧＷ２０とを備える。ＷｉＭＡＸ通信システム１０では、基地局１４ａと有線で接続されたｐｒｏｘｙＧＷ２０が、移動端末１２ａの基地局１４ａから基地局１４ｂへのハンドオーバを制御することにより、基地局とＡＳＮＧＷとを広域通信網で接続し、前記ＡＳＮＧＷでハンドオーバの制御をする場合と比較して、ハンドオーバの際に発生していた通信不能時間を短縮し、パケットロスの発生を大幅に抑えることができる。その結果、ビデオ・オン・デマンドによる動画データの配信や、VoIPにおける音声データの送受信において、移動端末でのデータパケットの廃棄確率を低くし、使用勝手の向上を図ることができる。また、ＡＳＮＧＷ１６の本来行うべき処理をｐｒｏｘｙＧＷ２０が代わりに処理することにより、ＡＳＮＧＷ１６の負荷が軽減される。
【００４３】
また、ＷｉＭＡＸ通信システム１０では、ｐｒｏｘｙＧＷ２０が移動端末１２ａから送信されたデータパケットの送信先を確認し、前記データパケットの送信先が基地局１４ａに無線接続された移動端末１２ｂであると確認した場合に、移動端末１２ａから、基地局１４ａ、ｐｒｏｘｙＧＷ２０、基地局１４ａ、移動端末１２ｂに至る通信経路を確立し、また、前記データパケットの送信先が基地局１４ｂに無線接続された移動端末１２ｃであると確認した場合に、移動端末１２ａから、基地局１４ａ、ｐｒｏｘｙＧＷ２０、基地局１４ｂ、移動端末１２ｃに至る通信経路を確立し、前記確立した通信経路で前記データパケットが送信されるように制御する。基地局とＡＳＮＧＷとを広域通信網で接続し、前記ＡＳＮＧＷが移動端末間の通信を制御する場合には、多くのルータを経由することによるジッタや通信遅延が生じ得るが、基地局１４ａとｐｒｏｘｙＧＷ２０とを有線で接続し、ｐｒｏｘｙＧＷ２０が移動端末１２ａと、移動端末１２ｂ又は移動端末１２ｃとの通信を制御することにより、データパケット通信におけるジッタ及び通信遅延を抑えることができる。
【００４４】
さらに、ＷｉＭＡＸ通信システム１０では、ｐｒｏｘｙＧＷ２０が移動端末１２ａから送信されたデータパケットの送信先を確認し、前記データパケットの送信先がｐｒｏｘｙＧＷ２０の配下ではない移動端末１２ｄであると確認した場合には、移動端末１２ａから、基地局１４ａ、ｐｒｏｘｙＧＷ２０、ＡＳＮＧＷ１６を含む通信経路を確立し、前記確立した通信経路で移動端末１２ｄに前記データパケットが送信されるように制御する。
【００４５】
なお、上記実施形態では、ｐｒｏｘｙＧＷ２０は１つしか設けられていないが、ＡＳＮＧＷ１６の配下に広域通信網１８を介して階層的に複数設けてもよい。
【００４６】
本発明は、上述の実施の形態に限らず、本発明の要旨を逸脱することなく、種々の構成を採り得ることはもちろんである。
【図面の簡単な説明】
【００４７】
【図１】本発明の実施形態に係るＷｉＭＡＸ通信システムの説明図である
【図２】移動端末のハンドオーバについての説明図である。
【図３】従来の一般的なＷｉＭＡＸの全体のシステムの説明図である。
【図４】従来の一般的なＷｉＭＡＸシステムにおけるハンドオーバの説明図である。
【図５】ハンドオーバする場合の処理に供されるシーケンスである。
【符号の説明】
【００４８】
１０…ＷｉＭＡＸ通信システム  １２ａ〜１２ｄ…移動端末
１４ａ〜１４ｃ…基地局        １６…ＡＳＮＧＷ
１８…広域通信網              ２０…ｐｒｏｘｙＧＷ
１００…ＷｉＭＡＸシステム
【図１】
2009231998.tif 000003
【図２】
2009231998.tif 000004
【図３】
2009231998.tif 000005
【図４】
2009231998.tif 000006
【図５】
2009231998.tif 000007